(57)【要約】【解決しようとする課題】  ネコが登ることによって破損してもその取り換えが容易にできるネコの遊戯具を提供する。【解決手段】  ２つの開口部を設けた上面部１０と前記２つの開口部１１、１２に順次貫通させた第１固定具２０とを備え、前記第１固定具２０にシートＴの途中部を掛け、前記第１固定具２０と前記上面部１０とによって前記シートＴを圧迫することにより前記シートＴを固定する。【選択図】図１
2011097863.tif 000002
【特許請求の範囲】
【請求項１】
突起部材に掛け渡して利用するペット遊戯具であって、
上面部と、
前記上面部に設けられた２つの開口部と、
シートの途中部を掛ける掛け部を有し、一端を前記２つの開口部に順次貫通させ他端と結合させることに前記ペット遊戯具を前記突起部材に掛け渡すための第１固定具と、
から構成され、
前記第１固定具と前記上面部とで前記シートを圧迫して固定することを特徴とするネコの遊戯具。
【請求項２】
上面部材から立ち上がる側壁部を設けた請求項１に記載のネコの遊戯具。
【請求項３】
側壁部にカーテンを固定するための第２固定具を設けた請求項２に記載のネコの遊戯具。
【請求項４】
側壁部に収納部を設けた請求項３に記載のネコの遊戯具。
【請求項５】
シートが、格子状織布である請求項１から４にいずれかに記載のネコの遊戯具。
【発明の詳細な説明】
【技術分野】
【０００１】
本発明は、ネコが登って遊ぶための室内に設置される遊戯具に関する。
【背景技術】
【０００２】
近年のペットブームを反映して、ネコを飼う人が増えて来ている。
ネコは、通常通常室内で飼われるが、塀の上など高い所に登る習性を持っている。しかしながら、室内で飼育されるネコは、この習性を発揮する機会を持ちにくいのが通常である。
【０００３】
そこで、室内にネコの遊戯具用支柱を設置することによってネコに高い所に登る機会を与える発明が提案されている（特許文献１参照）。
【先行技術文献】
【特許文献】
【０００４】
【特許文献１】特開２００４−１７３５１４
【発明の概要】
【発明が解決しようとする課題】
【０００５】
しかしながら、特許文献１に係るネコの遊戯具用支柱の表面には一般的に爪とぎが備え、該爪とぎを利用してネコは支柱の高い部分に登っていく。しかし、長年使用等により支柱表面の爪とぎがネコの爪で破損し、爪の引っ掛かりが悪くなりネコにとっては登り辛くなる。
【０００６】
このような場合、ネコは登りにくい支柱に代えて室内に備え付けのカーテンや家具等に登り傷つけることがある。それを防止するには、支柱表面の爪とぎを変える必要があるがその作業は容易ではなく手間の掛ることが多い。
【０００７】
そこで、本発明は上記課題に鑑みてなされたものであり、ネコが登ることによって破損してもその取り換えが容易にできるネコの遊戯具を提供することを課題とする。
【課題を解決するための手段】
【０００８】
前記課題は、以下の手段によって解決される。
請求項１に係る発明は、突起部材に掛け渡して利用するペット遊戯具であって、上面部と、前記上面部に設けられた２つの開口部と、シートの途中部を掛ける掛け部を有し、一端を前記２つの開口部に順次貫通させ他端と結合させることに前記ペット遊戯具を前記突起部材に掛け渡すための第１固定具と、から構成され、前記第１固定具と前記上面部とで前記シートを圧迫して固定することを特徴とするネコの遊戯具である。
請求項２に係る発明は、上面部材から立ち上がる側壁部を設けた請求項１に記載のネコの遊戯具である。
請求項３に係る発明は、側壁部にカーテンを固定するための第２固定具を設けた請求項２に記載のネコの遊戯具である。
請求項４に係る発明は、側壁部に収納部を設けた請求項３に記載のネコの遊戯具である。
請求項５に係る発明は、シートが、格子状織布である請求項１から４にいずれかに記載のネコの遊戯具である。
【発明の効果】
【０００９】
請求項１に係る発明によれば、掛け部に例えばタオルを掛け該タオルを上面部と第１固定具とで圧迫して固定することができる。これにより、掛けたタオル等にネコが登ることで破損しても容易に該タオルを取り替えることができる。また、ネコが室内の家具やカーテン等の代わりに該タオルに登ることによって、家具やカーテン等の破損を防ぐことができる。さらに、ネコが該タオルに登るとその重みでタオルが上面部と第１固定具とでさらに圧迫されるので、該タオルが強固に固定され該タオルが外れてネコが怪我をするのを防ぐことができる。
【００１０】
請求項２に係る発明によれば、側壁部を形成することによって掛け部に掛けられたタオル等を保護することができる。
【００１１】
請求項３に係る発明によれば、第２固定具によって掛け部に掛けられたタオル等をさらに確固としたものにすることができる。
【００１２】
請求項４に係る発明によれば、側壁部にポケットを形成することができる。これにより、例えばポケットにマタタビを入れることによってネコが好んでネコの遊戯具に登るようになるので、室内にある家具やカーテン等に登り傷つけることをさらに防止できる。
【００１３】
請求項５に係る発明によれば、掛け部に掛けるシートを格子状とすることによって、ネコの爪が引っ掛かりやすくなりネコは容易に該シートを登ることができる。
【図面の簡単な説明】
【００１４】
【図１】本発明の実施形態に係るネコの遊戯具の全体を示す。
【図２】ネコの遊戯具の上面の詳細を示す。
【図３】タオルを第１ベルトで固定した状態を示す。
【図４】タオルを第２ベルトで固定した状態を示す。
【図５】本発明の実施形態に係るネコの遊戯具の使用状態の一例を示す
【発明を実施するための形態】
【００１５】
本願発明（以下では、本発明）の一実施形態を、図面を参照しながら説明する。
図１は、本発明の一実施形態に係るネコの遊戯具の全体を示す。
【００１６】
図１において、ネコの遊戯具１は、上面１０と、第１固定ベルト２０と、側壁３０とから構成される。
上面１０は略長方形型の開口部１１，１２（図２に示す）を、第１固定ベルト２０はベルトの長さを調整する調整具２１等を、それぞれ備える。
【００１７】
第１固定ベルト２０は、タオルを掛けることが可能な掛け部２２を備える。第１固定ベルト２０の一端は上面１０の開口部１１、１２に順次貫通され、他端と調整具２１で結合する。
【００１８】
側壁部３０は、ファスナー３１、ポケット３２及び第２固定ベルト３３等を備える。
ファスナー３１は、帯状の形態をしており側壁部３０に逢着され、咬合子３１bを取っ手３１aにより係合することで掛け部２２に掛けられたタオルを保護する。
【００１９】
ポケット３２は、上部が開口した長方形形状をしており、マタマビを入れるものである  。これによって、ネコはネコの遊戯具に好んで登るようになるので、他の家具等に登っ  て傷つけることを防止できる。
【００２０】
第２固定ベルト３３は、第２調整具３４を備え、掛け部２２に掛けられたタオルを横方向から固定するものである。これにより、タオルをさらに強固に固定することができる。
【００２１】
図２は、ネコの遊戯具１の上面の詳細を示す。
図２において、上面１０は前記したように略長方形型の開口部１１、１２を備え、第１固定ベルト２０の一端がこれら開口部１１、１２に順次貫通し、調整具２１で他端と結合する。
【００２２】
図３は、タオルを第１固定ベルト２０で固定した状態を示す。
図３において、タオルＴの途中部を第１固定ベルト２０に掛け渡して第１ベルト２０を引き上げ、上面１０と第１固定ベルト２０とでタオルＴを圧迫して固定する。また、タオルＴは、天然繊維で帯状の布を形成し、該布を格子状に組み合わせて作られる。
【００２３】
以上の構成により、タオルＴを掛け部２２に固定することができ、またタオルＴを容易に取り替えることができる。さらに、タオルＴを帯状の布を格子状に組み合わせて作ることによってネコは容易にタオルＴに登ることができる。
【００２４】
図４は、タオルを第２ベルト３３で固定した状態を示す。
図４において、第２固定ベルト３３は第２調整具３４を備える。第２固定ベルト３３はタオルＴを横方向から抱き込み、第２調整具３４を用いて第２固定ベルト３３をタオルＴの厚さに調整しタオルＴを固定する。以上より、さらにタオルを強固に固定できる。
【００２５】
図５は、本発明の一実施形態に係るネコの遊戯具の使用状態の一例を示す。
図５において、ネコの遊戯具１はタオルＴの途中部を掛け部２２に掛けて第１固定ベルト２０で固定し、さらに第２固定ベルト３３で固定してファスナー３１を閉じた状態である。
【００２６】
ネコがタオルＴに登ると、その重みで第１固定ベルト２０が下方向に引っ張られることにより第１固定ベルト２０と上面１０とがタオルＴをさらに圧迫してタオルＴを強固に固定する。これによって、タオルＴが外れてネコが床に落下し怪我をするのを防止できる。
【００２７】
以上みてきたように、ネコの遊戯具を上記構成とすれば、タオルＴにネコが登ることで破損しても容易にタオルＴを取り替えることができる。また、ネコが室内の家具やカーテン等に登り傷つけることを防ぐことができる。
【００２８】
また、ネコがタオルＴに登るとその重みでさらにタオルＴが上面部１０と第１固定ベルト２０とで圧迫される。これにより、タオルＴが強固に固定されるのでタオルＴが掛け部２２から外れネコが床に落下して怪我をするのを防ぐことができる。
【００２９】
さらに、ポケット３２にマタタビ等を入れることにより、ネコが家具やカーテン等の他の室内家具等よりも好んでネコの遊戯具に登るのでネコが該室内家具等に登り傷つけることを防止できる。
【符号の説明】
【００３０】
１・・・ネコの遊戯具
１０・・・上面
２０・・・第１固定ベルト
２１・・・第１調整具
３０・・・側壁部
３１・・・ファスナー
３２・・・ポケット
３３・・・第２固定ベルト
３４・・・第２調整具
【図１】
2011097863.tif 000003
【図２】
2011097863.tif 000004
【図３】
2011097863.tif 000005
【図４】
2011097863.tif 000006
【図５】
2011097863.tif 000007